(57)【要約】【課題】調整が容易なルーペ付き眼鏡のルーペ焦点距離調整機構を提供する。【解決手段】眼鏡フレーム２に、筒体内に拡大レンズ系を有するルーペを取り付けたルーペ付き眼鏡のルーペ焦点距離調整機構１は、両レンズ枠４を連繋する弾力性を有するブリッジ３の内外面を挟持する内側挟持体１７ａ及び外側挟持体１７ｂを有するアダプター１７からなる。前記外側挟持体１７ｂには、前記ブリッジ３中央部に外側から力をかける加圧部材たる調整ビス２１を設け、ブリッジ３中央を内側に、またブリッジ３両端を外側に湾曲変形する。調整ビス２１を適度に螺入すれば、容易にルーペ焦点距離調整を行うことが可能である。【選択図】　　　　図４
2004101786.tif 000002
【特許請求の範囲】
【請求項１】
眼鏡フレームあるいは眼鏡レンズに、筒体内に拡大レンズ系を有する一対のルーペを取り付けたルーペ付き眼鏡のルーペ焦点距離調整機構であって、両レンズ枠を連繋する弾力性を有するブリッジ内外面を挟持する挟持体に、前記ブリッジの中央部に内外面側の少なくとも一方から力をかける加圧部材を設け、この加圧部材によって前記ブリッジを湾曲変形することを特徴とするルーペ付き眼鏡のルーペ焦点距離調整機構。
【請求項２】
眼鏡フレームあるいは眼鏡レンズに、筒体内に拡大レンズ系を有する一対のルーペを取り付けたルーペ付き眼鏡のルーペ焦点距離調整機構であって、両レンズ枠を連繋する弾力性を有するブリッジの内外面を挟持する互いに分離可能な内側挟持体及び外側挟持体と、前記各挟持体の少なくとも一方に設け、前記ブリッジの中央部に内外面側の少なくとも一方から力をかける加圧部材とからなることを特徴とするルーペ付き眼鏡のルーペ焦点距離調整機構。
【請求項３】
内側挟持体及び外側挟持体は、各対向面を密接状態にして互いに連結する連結部と、ブリッジを挟持する挟持部とをそれぞれ備え、各挟持体の挟持部を凹状に形成する一方、加圧部材は、各挟持体の少なくとも一方の挟持部中央に設けた螺孔に螺入した雄螺旋を有する調整ビスからなり、前記調整ビスの先端でブリッジ面を押圧して該ブリッジを湾曲変形することを特徴とする請求項２に記載のルーペ付き眼鏡のルーペ焦点距離調整機構。
【請求項４】
内側挟持体及び外側挟持体は、各対向面を密接状態にして互いに連結する連結部と、ブリッジを挟持する挟持部とをそれぞれ備える一方、加圧部材は、前記挟持体の一方の挟持部に設けた凸状の加圧部からなり、前記両連結部を密接させた状態において、前記凸状の加圧部によって、ブリッジ面を押圧して該ブリッジを湾曲変形することを特徴とする請求項２に記載のルーペ付き眼鏡のルーペ焦点距離調整機構。
【請求項５】
眼鏡フレームあるいは眼鏡レンズに、筒体内に拡大レンズ系を有する一対のルーペを取り付けたルーペ付き眼鏡のルーペ焦点距離調整機構であって、両レンズ枠を連繋する弾力性を有するブリッジの内外面を挟持する互いに分離可能な内側挟持体及び外側挟持体からなり、前記内側挟持体及び前記外側挟持体は、各対向面を密接状態にして互いに連結する連結部と、ブリッジを挟持する挟持部とをそれぞれ備え、各挟持部を凹状に形成するとともに、それらの中央に貫通孔をそれぞれ設ける一方、ブリッジ中央に前記貫通孔に対応位置して螺孔を設け、前記螺孔に雄螺旋を軸方向中央部に設けた調整螺杆を螺入するとともに、前記調整螺杆の各端部は、前記各貫通孔をそれぞれ回転可能に貫通し、前記調整螺杆を回転することによって、前記螺孔と前記雄螺旋の相対位置を変位させて前記ブリッジを湾曲変形することを特徴とするルーペ付き眼鏡のルーペ焦点距離調整機構。
【請求項６】
眼鏡フレームあるいは眼鏡レンズに、筒体内に拡大レンズ系を有する一対のルーペを取り付けたルーペ付き眼鏡のルーペ焦点距離調整機構であって、両レンズ枠を連繋する弾力性を有するブリッジに取り付ける支持体に、前記ブリッジの中央部を内外面側の少なくとも一方に湾曲変形させるための湾曲調整部材を設けたルーペ付き眼鏡のルーペ焦点距離調整機構。
【発明の詳細な説明】
【０００１】
【発明が属する技術分野】
本発明は、外科医などが手術の際に使用する医療用ルーペなどの各種のルーペ付き眼鏡のルーペ焦点距離調整機構に係り、特に、両レンズ枠を連繋するブリッジを湾曲させて、両レンズ枠に取り付けた各ルーペの光軸の角度を調整し、該各ルーペの焦点距離において各光軸が交叉するようになすためのルーペ付き眼鏡のルーペ焦点距離調整機構に関する。
【０００２】
【従来の技術】
従来、医療用などのルーペを取り付けた眼鏡としては、使用者の希望する焦点距離（両ルーペの光軸がそれぞれの焦点で交叉する位置までのルーペからの距離）をもつ一対の拡大鏡を、各眼鏡レンズのくり抜き部に嵌合して取り付けている（例えば、特許文献１参照）。
【０００３】
【特許文献１】
実開昭５５−０５２１２２号公報（第１図）
【０００４】
【発明が解決しようとする課題】
上記従来の眼鏡は、眼鏡レンズにくり抜き部を形成する際に、特別な技術が必要なため、一般の眼鏡店では加工できないという問題があった。また、前記くり抜き部に拡大鏡を取り付けるには、各拡大鏡のレンズ系の各光軸がその焦点上で交叉するように、拡大鏡側に設けた調整機構によってくり抜き部周囲の眼鏡レンズに移動不能に固定する必要があったので、使用者は希望する焦点距離となるように、オーダーメードするしかなく、汎用性に乏しいという問題があった。本発明は、これらの問題を解消することを課題とし、この課題を解決したルーペ付き眼鏡のルーペ焦点距離調整機構を提供することを目的とする。
【０００５】
【課題を解決するための手段】
上記目的を達成するために、請求項１に記載の本発明のルーペ付き眼鏡のルーペ焦点距離調整機構は、眼鏡フレームあるいは眼鏡レンズに、筒体内に拡大レンズ系を有する一対のルーペを取り付けたものであって、両レンズ枠を連繋する弾力性を有するブリッジ内外面を挟持する挟持体に、前記ブリッジの中央部に内外面側の少なくとも一方から力をかける加圧部材を設け、この加圧部材によって前記ブリッジを湾曲変形することを特徴とするものである。
【０００６】
また、請求項２に記載の本発明のルーペ付き眼鏡のルーペ焦点距離調整機構は、眼鏡フレームあるいは眼鏡レンズに、筒体内に拡大レンズ系を有する一対のルーペを取り付けるものであって、両レンズ枠を連繋する弾力性を有するブリッジの内外面を挟持する互いに分離可能な内側挟持体及び外側挟持体と、前記各挟持体の少なくとも一方に設け、前記ブリッジの中央部に内外面側の少なくとも一方から力をかける加圧部材とからなることを特徴とするものである。
【０００７】
また、請求項３に記載の本発明のルーペ付き眼鏡のルーペ焦点距離調整機構は、請求項２に記載の構成において、内側挟持体及び外側挟持体は、各対向面を密接状態にして互いに連結する連結部と、ブリッジを挟持する挟持部とをそれぞれ備え、各挟持体の挟持部を凹状に形成する一方、加圧部材は、各挟持体の少なくとも一方の挟持部中央に設けた螺孔に螺入した雄螺旋を有する調整ビスからなり、前記調整ビスの先端でブリッジ面を押圧して該ブリッジを湾曲変形することを特徴とするものである。
【０００８】
また、請求項４に記載の本発明のルーペ付き眼鏡のルーペ焦点距離調整機構は、請求項２に記載の構成において、内側挟持体及び外側挟持体は、各対向面を密接状態にして互いに連結する連結部と、ブリッジを挟持する挟持部とをそれぞれ備える一方、加圧部材は、前記挟持体の一方の挟持部に設けた凸状の加圧部からなり、前記両連結部を密接させた状態で、前記凸状の加圧部によって、ブリッジ面を押圧して該ブリッジを湾曲変形することを特徴とするものである。
【０００９】
また、請求項５に記載の本発明のルーペ付き眼鏡のルーペ焦点距離調整機構は、眼鏡フレームあるいは眼鏡レンズに、筒体内に拡大レンズ系を有する一対のルーペを取り付けたものであって、両レンズ枠を連繋する弾力性を有するブリッジの内外面を挟持する互いに分離可能な内側挟持体及び外側挟持体からなり、前記内側挟持体及び前記外側挟持体は、各対向面を密接状態にして互いに連結する連結部と、ブリッジを挟持する挟持部とをそれぞれ備え、各挟持部を凹状に形成するとともに、それらの中央に貫通孔をそれぞれ設ける一方、ブリッジ中央に前記貫通孔に対応位置して螺孔を設け、前記螺孔に雄螺旋を軸方向中央部に設けた調整螺杆を螺入するとともに、前記調整螺杆の各端部は、前記各貫通孔をそれぞれ回転可能に貫通し、前記調整螺杆を回転することによって、前記螺孔と前記雄螺旋の相対位置を変位させて前記ブリッジを湾曲変形することを特徴とするものである。
【００１０】
また、請求項６に記載の本発明のルーペ付き眼鏡のルーペ焦点距離調整機構は、眼鏡フレームあるいは眼鏡レンズに、筒体内に拡大レンズ系を有する一対のルーペを取り付けたものであって、両レンズ枠を連繋する弾力性を有するブリッジに嵌合などの手段で取り付ける支持体に、前記ブリッジの中央部を内外面側の少なくとも一方に湾曲変形させるための湾曲調整部材を設けたものである。前記支持体の構成としては、例えば、上述した各挟持体の上端部を連結固定して一体化したものがある。また、湾曲調整部材としては、調整ビスや調整螺杆、あるいは凸状部がある。
【００１１】
【発明の実施の形態】
以下に、本発明の好適な第１実施形態を添付図面の図１〜図１２に基づいて詳細に説明する。ここにおいて、図１はルーペ焦点距離調整機構を備えたルーペ付き眼鏡の斜視図、図２はルーペの部分縦断拡大側面図、図３はルーペ焦点距離調整機構の正面図、図４はパッドを取り除いた状態のルーペ焦点距離調整機構の拡大斜視図、図５は眼鏡枠に取り付けたルーペの光軸が焦点にて交叉する状態を示す概略図、図６はアダプターの一方の挟持体を示す拡大斜視図、図７は同じく他方の挟持体を示す拡大斜視図、図８は分離状態のアダプターの拡大縦断斜視図、図９はルーペ焦点距離調整前の状態を示すルーペ焦点距離調整機構の要部の拡大横断平面図、図１０はルーペ焦点距離調整後の状態を示すルーペ焦点距離調整機構の要部の拡大横断平面図、図１１はルーペ焦点距離調整前の状態を示すルーペ焦点距離調整機構の要部の拡大縦断側面図、図１２はルーペ焦点距離調整後の状態を示すルーペ焦点距離調整機構の要部の拡大縦断側面図である。
【００１２】
図１に示すように、ルーペ焦点距離調整機構１を適用する眼鏡フレーム（以下単に眼鏡フレーム２という）は、弾力性を有するブリッジ３により連繋する両レンズ枠４の内側にそれぞれ支持枠５を一体形成し、この支持枠５に、固定機構６で着脱可能に一対のルーぺ７を取り付けたものである。各ルーペ７は、接眼筒８と対物筒９とからなり、所定の焦点距離を有する拡大レンズ系を内蔵する。
【００１３】
図２に示すように、前記固定機構６は、接眼筒８の対物筒９側に嵌合し、一面は前記接眼筒８と対物筒９との間に形成した傾斜段部１０に当接させて、他面は支持枠５の外面に当接するリング状の柔軟材からなる外側スペーサ１１と、接眼筒８の端部側に移動可能に嵌合し、一面は支持枠５の内面に当接して、他面は後述する固定リング１２に当接するリング状の柔軟部材からなる内側スペーサ１３と、接眼筒８端の外周に設けた雄螺旋１４に螺合する雌螺旋１５を内周に設け、螺合を深める方向に回転して締めつけることによって、前記外側スペーサ１１の一面を支持枠５の外面に、また内側スペーサ１３の一面を該支持枠５の内面に、それぞれ押し付けるようになした前述の固定リング１２とから構成する。
【００１４】
図示しないが、レンズ枠４内側に対応する支持枠５の上縁及び外側縁を除いた外周面には、レンズ枠４の内周面に設けたレンズ係合溝（図示せず）を連結する連結溝（図示せず）を部分的に設ける。そして、各レンズ枠４の内周とこれに連続する前記支持枠５の外周に合致するように眼鏡レンズ（図示せず）をカットし、前記各レンズ係合溝に眼鏡レンズの外周を係合して眼鏡としても使用しうるように構成する。このレンズ加工及び各レンズ係合溝への係合は特別な技術を必要とせず、一般の眼鏡店で通常の眼鏡レンズと同様に行うことができる。
【００１５】
また、図２に示すように、各支持枠５は、固定する各ルーペ７の光軸ａが眼鏡レンズ（図示せず）の光軸ｂより２０度ほど下を向くように、全体的に外側に湾曲しているレンズ枠４の中心より下側で、かつ両レンズ枠４のブリッジ側に寄った位置に設ける。なお、一般にレンズ枠４はテンプルと称される耳掛け部１６に対して１０度ほど下に向いて傾斜しているので、支持枠５の上下縁の内側を１０度ほど傾斜するよう削ると、前記光軸ａを前記光軸ｂより２０度程度下に傾斜させるこができる。
【００１６】
さらに、図５に示すように、ルーペ付き眼鏡は、両ルーペ７のそれぞれの光軸ａがそれらの焦点Ｆ上で交叉するように構成しなければならないもので、各支持枠５を、各拡大レンズ系の焦点Ｆを中心とし、その焦点距離を半径とする円弧を含む曲面ｃ上に位置するように形成する必要がある。
【００１７】
そして、本発明の焦点距離調整機構１は、各レンズ枠４の支持枠５を所望の焦点距離に応じた曲面上に位置するように調整するためのものであり、図３、図４、図６〜図１２に示すように、前記両レンズ枠４を連繋するための弾力性を有するブリッジ３の内外面を挟持する一対の挟持体１７ａ，１７ｂを有するアダプター１７から構成する。前記ブリッジ３は、その両端側を内側（着用者の顔面側）で押さえた状態において、その中央を外側（着用者の顔面とは反対側）から前記内側に押圧すると全体が内側に湾曲する（図１０参照）ような金属材料を用いる。
【００１８】
図３、図４、図６〜図１２に示すように、アダプター１７を構成する内側と外側の挟持体１７ａ，１７ｂは、各対向面を互いに密接状態で連結する連結部１８ａ，１８ｂと、ブリッジ３を挟持するための挟持部１９ａ，１９ｂとをそれぞれ備え、各挟持部１９ａ，１９ｂの前記対向面を中央が両端に対して凹んだ凹状に形成する一方、外側挟持体１７ｂの挟持部１９ｂ中央に螺孔２０を設け、この螺孔２０に加圧部材たる調整ビス２１を螺入させ、その先端でブリッジ３の外面を前記内側に押圧して該ブリッジ３の両端側を中央に対して外側に湾曲させるように構成する。内側挟持体１７ａと外側挟持体１７ｂの各連結部１８ａ，１８ｂには、互いに対応位置するようにそれぞれ一対の連結用孔２２ａ，２２ｂを設け、これらに固定用ビス２３を貫通し、固定用ナット２４によって端部を締めつけることによって、両挟持体１７ａ，１７ｂを密接状態で固定するように構成してある。また、内側挟持体１７ａの連結部１８ａに設けた横方向に伸びる一対の溝条２５ａ，２５ｂは、着用者の顔の形や大きさに合わせていずれかを選択して、例えば溝条２５ａに、パッド２６の取付け軸２６ａを嵌め、外側挟持体１７ｂと連結した状態において前記取付け軸２６ａを固定して、パッド２６をアダプター１７に取り付けるためのものである。
【００１９】
以上のように構成したルーペ付き眼鏡のルーペ焦点距離調整機構１によってルーペ焦点距離調整を行うには、先ず、眼鏡フレーム２のブリッジ３の内外面に、それぞれアダプター１７の内側及び外側挟持体１７ａ，１７ｂの挟持部１９ａ，１９ｂを当接し、例えば上側の溝条２５ａにパッド２６の取付け軸２６ａを嵌めた状態で、連結部１８ａ，１８ｂの各一対の連結用孔２２ａ，２２ｂに固定用ビス２３を挿入し、ナット２４によって内側及び外側挟持体１７ａ，１７ｂどうしを密着するように締めつける。次に、外側挟持体１７ｂの螺孔２０に調整ビス２１を螺入し、その先端でブリッジ３外面の中央を内側に押し込み、その弾力に抗してブリッジ３を湾曲変形させる。このようにブリッジ３中央を内側に湾曲させると、ブリッジ３の両端に連繋する両レンズ枠４及びそれらの支持枠５は、ブリッジ３中央を中心に角度が変位し、各支持枠４に取り付けた両ルーペ７の光軸ａの角度も変位するのである。このように、ルーペ焦点距離調整機構１は、調整ビス２１の螺入具合を適当に調整することによって、各ルーペ７の光軸ａが所望の焦点Ｆ上で交叉する（図５参照）ように、支持枠５をルーペ７の拡大レンズ系の所望の焦点Ｆを中心とする円弧を含む曲面ｃ上に位置するよう変位させることが可能で、ルーペ焦点距離調整を容易に行うことが可能である。
【００２０】
また、図１３（眼鏡フレームの変形例を示す正面図）に示す眼鏡フレーム５０は、弾力性を有するブリッジ５１によって連繋する両レンズ枠５２の各支持枠５３の内側を水平方向に長い長円形に形成したものである。このように支持枠５３の内側を長円形にすることによって、これに嵌合したルーペ７を前記長円形に沿って水平移動可能となし、着用者の眼幅に合わせて両ルーペ７間の距離を加減することができるものである。そして、この眼鏡フレーム５０に前述のルーペ焦点距離調整機構１を適用すれば、眼鏡着用者の眼幅調整と、着用者が希望する焦点距離に調整したルーペ付き眼鏡を容易に得ることができる。
【００２１】
続いて、添付図面の図１４及び図１５に基づいて本発明の第２実施形態を説明する。ここにおいて、図１４はルーペ焦点距離調整前の状態を示すルーペ焦点距離調整機構の要部の拡大横断平面図、図１５はルーペ焦点距離調整後の状態を示すルーペ焦点距離調整機構の要部の拡大横断平面図である。
【００２２】
図１４及び図１５に示すように、この第２実施形態に係るルーペ焦点距離調整機構１０１は、眼鏡フレームの両レンズ枠１０２を連繋する弾力性を有するブリッジ１０２を挟持する内側挟持体１０３ａ及び外側挟持体１０３ｂを有するアダプター１０３とから構成する。内側挟持体１０３ａ及び外側挟持体１０３ｂは、各対向面を互いに密接状態で連結する連結部（図示せず）と、ブリッジ１０２を挟持する挟持部１０４ａ，１０４ｂとをそれぞれ備え、内側挟持体１０３ａの挟持部１０４ａを凹状に、また外側挟持体１０３ｂの挟持部１０４ｂを加圧部として凸状にそれぞれ形成してなる。前記両連結部は、図示しないが、前述の第１実施形態における両連結部１８ａ，１８ａと同様に、互いに対応位置するようにそれぞれ一対の連結用孔（図示せず）を設け、これらに固定用ビスを貫通し、固定用ナットによって端部を締めつけることによって、両挟持体１０３ａ，１０３ｂを密接状態で固定するように構成してある。
【００２３】
このように構成したルーペ焦点距離調整機構１０１は、両連結部を密接状態で連結させた状態において、凸状の外側挟持体１０３ｂによって、ブリッジ１０２外面を押圧してブリッジ１０２が凹条の内側挟持体１０３ａに嵌まることによって、ブリッジ１０２両端が外側に湾曲変形するのである。そして、このルーペ焦点距離調整機構１０１にあっては、両連結部を密接状態で連結させた状態においてのブリッジ１０２の湾曲変形度、すなわち調整角度は一定となる。したがって、複数の焦点距離に対応した調整角度をもつアダプター１０３を用意しておき、希望するものを適宜選択すればよい。
【００２４】
続いて、添付図面の図１６及び図１７に基づいて本発明の第３実施形態を説明する。ここにおいて、図１６はルーペ焦点距離調整前の状態を示すルーペ焦点距離調整機構の要部の拡大横断平面図、図１７はルーペ焦点距離調整後の状態を示すルーペ焦点距離調整機構の要部の拡大横断平面図である。
【００２５】
図１６及び図１７に示すように、この第３実施形態に係るルーペ焦点距離調整機構２０１は、眼鏡フレームの両レンズ枠２０２を連繋する弾力性を有するブリッジ２０２を挟持する内側挟持体２０３ａ及び外側挟持体２０３ｂを有するアダプター２０３とから構成する。内側挟持体２０３ａ及び外側挟持体２０３ｂは、各対向面を互いに密接状態で連結する連結部（図示せず）と、ブリッジ２０２を挟持する挟持部２０４ａ，２０４ｂとをそれぞれ備え、内側挟持体２０３ａ及び外側挟持体２０３ｂの挟持部をそれぞれ凹状に形成し、前記内側挟持体２０３ａ及び外側挟持体２０３ｂの各挟持部２０４ａ，２０４ｂの中央にそれぞれ貫通孔２０５ａ，２０５ｂをそれぞれ設ける一方、ブリッジ２０２中央に螺孔２０６を設け、この螺孔２０６に調整螺杆２０７の中央部に設けた雄螺旋を螺入するとともに、前記調整螺杆２０７の各端は前記各貫通孔２０５ａ，２０５ｂを回転可能に貫通してなる。前記両連結部は、図示しないが、前述の第１実施形態における両連結部１８ａ，１８ａと同様に、互いに対応位置するようにそれぞれ一対の連結用孔を設け、これらに固定用ビスを貫通し、固定用ナットによって端部を締めつけることによって、両挟持体２０３ａ，２０３ｂを密接状態で固定するように構成してある。
【００２６】
このように構成したルーペ焦点距離調整機構２０１は、両連結部を密接状態で連結させた状態において、調整螺杆２０７を回転することによって、螺孔２０６と雄螺旋の相対位置を変位させてブリッジ２０２の両端側が外側に任意に湾曲変形するのである。
【００２７】
なお、本発明は、上記各実施形態になんら限定されるものではなく、例えば、アダプター１７，１０３，２０３には、溝条２５ａ，２５ｂを設けなくてもよい。この場合は、パッドはレンズ枠に取り付けるようにする。また、ルーペ７は、眼鏡レンズに設けた取り付け孔に取り付けてもよい。さらに、螺旋ビス２１は、内側挟持体１７ａに設けてもよく、両挟持体７ａ，１７ｂに設けてもよい。そして、外側挟持体１７ｂのみに加圧部材を設けた場合は、最も長い焦点距離を原状態とし、逆に内側挟持体１７ａのみに加圧部材を設けた場合は、最も短い焦点距離を原状態とする。またさらに、各挟持体１７ａ，１７ｂ，１０３ａ，１０３ｂ，２０３ａ，２０３ｂに換えて、ブリッジに取り付ける支持体を採用し、この支持体に、前記ブリッジの中央部を内外面側の少なくとも一方に湾曲変形させるための湾曲調整部材を設けたものであってもよい。加えて、パッド２６を支持する前記各挟持体１７ａ，１７ｂ，１０３ａ，１０３ｂ，２０３ａ，２０３ｂは、本発明に係る焦点調整機構を備えたルーペ付き眼鏡に限らず、一般の眼鏡に適用することもでき、この場合には、パッドの支持位置を調整することで、眼鏡の上下方向の角度調整が可能となる。
【００２８】
【発明の効果】
以上説明したように請求項１に記載の本発明のルーペ付き眼鏡のルーペ焦点距離調整機構は、加圧部材でブリッジの中央部を押して湾曲変形することによって、各ルーペの光軸がそれぞれ焦点上で交叉するように、支持枠をルーペの拡大レンズ系の焦点を中心とする円弧を含む曲面上に位置するよう変位させることが可能で、ルーペ焦点距離調整を容易に行うことができるという効果を奏する。
【００２９】
また、請求項２に記載の本発明のルーペ付き眼鏡のルーペ焦点距離調整機構は、加圧部材でブリッジの中央部を押して湾曲変形することによって、各ルーペの光軸がそれぞれ焦点上で交叉するように、支持枠をルーペの拡大レンズ系の焦点を中心とする円弧を含む曲面上に位置するよう変位させることが可能で、ルーペ焦点距離調整を容易に行うことができるほか、内側挟持体と外側挟持体を分離可能に連結するように構成したので、ブリッジへの取り付け及び取り外し作業が容易であるという効果を奏する。
【００３０】
また、請求項３に記載の本発明のルーペ付き眼鏡のルーペ焦点距離調整機構は、請求項２に記載の本発明の効果に加えて、調整ビスの螺入具合によりブリッジの湾曲変形量を自在に加減でき、ルーペ焦点距離調整がより一層容易であるという効果を奏する。
【００３１】
また、請求項４に記載の本発明のルーペ付き眼鏡のルーペ焦点距離調整機構は、請求項２に記載の本発明の効果に加えて、両ルーペが設定された焦点距離となるようなブリッジの湾曲変形量を得られる内側挟持体と外側挟持体とを複数用意することによって、希望の前記湾曲変形量を、挟持体を選択するだけで、細かな調整を行う必要がなく得られるという効果を奏する。
【００３２】
また、請求項５に記載の本発明のルーペ付き眼鏡のルーペ焦点距離調整機構は、調整螺杆でブリッジの中央部を湾曲変形することによって、各ルーペの光軸がそれぞれ焦点上で交叉するように、支持枠をルーペの拡大レンズ系の焦点を中心とする円弧を含む曲面上に位置するよう変位させることが可能で、ルーペ焦点距離調整を容易に行うことができるほか、内側挟持体と外側挟持体を分離可能に連結するように構成したので、ブリッジへの取り付け及び取り外し作業が容易であり、また、調整螺杆の螺入具合をによりブリッジの湾曲変形量を自在に加減でき、ルーペ焦点距離調整がより一層容易であるという効果を奏する。
【００３３】
また、請求項６に記載の本発明のルーペ付き眼鏡のルーペ焦点距離調整機構は、湾曲調整部材でブリッジの中央部を湾曲変形することによって、各ルーペの光軸がそれぞれ焦点上で交叉するように、支持枠をルーペの拡大レンズ系の焦点を中心とする円弧を含む曲面上に位置するよう変位させることが可能で、ルーペ焦点距離調整を容易に行うことができるほか、支持体をブリッジに嵌合などの手段で取り付け得るように構成したので、ブリッジへの取り付け及び取り外し作業が容易であるという効果を奏する。
【図面の簡単な説明】
【図１】第１実施形態におけるルーペ焦点距離調整機構を備えたルーペ付き眼鏡の斜視図。
【図２】第１実施形態におけるルーペの部分縦断拡大側面図。
【図３】第１実施形態におけるルーペ焦点距離調整機構の正面図。
【図４】第１実施形態におけるパッドを取り除いた状態のルーペ焦点距離調整機構の拡大斜視図。
【図５】第１実施形態における眼鏡枠に取り付けたルーペの光軸が焦点にて交叉する状態を示す概略図。
【図６】第１実施形態におけるアダプターの一方の挟持体を示す拡大斜視図。
【図７】第１実施形態における同じく他方の挟持体を示す拡大斜視図。
【図８】第１実施形態における分離状態のアダプターの拡大縦断斜視図。
【図９】第１実施形態におけるルーペ焦点距離調整前の状態を示すルーペ焦点距離調整機構の要部の拡大横断平面図。
【図１０】第１実施形態におけるルーペ焦点距離調整後の状態を示すルーペ焦点距離調整機構の要部の拡大横断平面図。
【図１１】第１実施形態におけるルーペ焦点距離調整前の状態を示すルーペ焦点距離調整機構の要部の拡大縦断側面図。
【図１２】第１実施形態におけるルーペ焦点距離調整後の状態を示すルーペ焦点距離調整機構の要部の拡大縦断側面図。
【図１３】眼鏡フレームの変形例を示す正面図。
【図１４】第２実施形態におけるルーペ焦点距離調整前の状態を示すルーペ焦点距離調整機構の要部の拡大横断平面図。
【図１５】第２実施形態におけるルーペ焦点距離調整後の状態を示すルーペ焦点距離調整機構の要部の拡大横断平面図。
【図１６】第３実施形態におけるルーペ焦点距離調整前の状態を示すルーペ焦点距離調整機構の要部の拡大横断平面図。
【図１７】第３実施形態におけるルーペ焦点距離調整後の状態を示すルーペ焦点距離調整機構の要部の拡大横断平面図。
【符号の説明】
ａ　　光軸
ｂ　　光軸
ｃ　　曲面
１　　ルーペ焦点距離調整機構
２　　眼鏡フレーム
３　　ブリッジ
４　　レンズ枠
５　　支持枠
６　　固定機構
７　　ルーペ
８　　接眼筒
９　　対物筒
１０　　段部
１１　　外側スペーサ
１２　　固定リング
１３　　内側スペーサ
１４　　雄螺旋
１５　　雌螺旋
１６　　耳掛け部
１７　　アダプター
１７ａ　　内側挟持体
１７ｂ　　外側挟持体
１８ａ　　連結部
１８ｂ　　連結部
１９ａ　　挟持部
１９ｂ　　挟持部
２０　　螺孔
２１　　調整ビス
２２ａ　　連結用孔
２２ｂ　　連結用孔
２３　　固定用ビス
２４　　固定用ナット
２５ａ　　溝条
２５ｂ　　溝条
２６　　パッド
２６ａ　　取付け軸
５０　　眼鏡フレーム
５１　　ブリッジ
５２　　レンズ枠
５３　　支持枠
１０１　　ルーペ焦点距離調整機構
１０２　　ブリッジ
１０３　　アダプター
１０３ａ　　内側挟持体
１０３ｂ　　外側挟持体
１０４ａ　　挟持部
１０４ｂ　　挟持部
２０１　　ルーペ焦点距離調整機構
２０２　　ブリッジ
２０３　　アダプター
２０３ａ　　内側挟持体
２０３ｂ　　外側挟持体
２０４ａ　　挟持部
２０４ｂ　　挟持部
２０５ａ　　貫通孔
２０５ｂ　　貫通孔
２０６　　螺孔
２０７　　調整螺杆
【図１】
2004101786.tif 000003
【図２】
2004101786.tif 000004
【図３】
2004101786.tif 000005
【図４】
2004101786.tif 000006
【図５】
2004101786.tif 000007
【図６】
2004101786.tif 000008
【図７】
2004101786.tif 000009
【図８】
2004101786.tif 000010
【図９】
2004101786.tif 000011
【図１０】
2004101786.tif 000012
【図１１】
2004101786.tif 000013
【図１２】
2004101786.tif 000014
【図１３】
2004101786.tif 000015
【図１４】
2004101786.tif 000016
【図１５】
2004101786.tif 000017
【図１６】
2004101786.tif 000018
【図１７】
2004101786.tif 000019